(57)【要約】      （修正有）【課題】往復機構のスライドブロックと金属の滑り溝の表面摩擦力を減らせ、動作を順調とでき、且つ往復機構の製作を簡易化でき、往復機構の歩留りと産業上の利用性を増すことができる、メモリカードコネクタの往復機構の提供。【解決手段】メモリカードコネクタ１は、金属下ケース２０、ベース３０、受け座４０、複数の導電端子５０、金属上ケース及び往復機構１０で構成され、該往復機構はスライドブロック１１、弾性手段１３及びフックロッド１２で組成されて可動式に金属下ケース側辺の滑り溝２２ａ内に取付られ、スライドブロックにカード挿入と退出を制御できる曲線レール溝１１ａが設けられ、フックロッドの一端が曲線レール溝内に設けられ、前端が弾性手段に接続されている。【選択図】図１
0003105848.tif 000002
【実用新案登録請求の範囲】
【請求項１】
スライドブロック、弾性手段、及びフックロッドを具え、
該スライドブロックはメモリカードコネクタの下ケースの滑り溝内をスライド可能で、該スライドブロックはカードの挿入と退出を制御する二段の上り斜面と二段の位置決め点を具えた曲線レール溝を具え、
該弾性手段はその一端がスライドブロックの嵌合柱に当接され、別端がメモリカードコネクタの下ケースの前方の固定片に嵌合され、スライドブロックにスライドの力を提供し、
該フックロッドはその一端が該スライドブロックの曲線レール溝内に取付られ、別端が固定片の位置決め孔に設けられ、該フックロッドが曲線レール溝中で周回動作を行なうことを特徴とする、メモリカードコネクタの往復機構。
【請求項２】
請求項１記載のメモリカードコネクタの往復機構において、スライドブロックの二段の上り斜面と二段の位置決め点を具えた曲線レール溝にあって、メモリカードコネクタのベース内部に接近する位置が開始位置決め点とされ、該開始位置決め点の前方に上向きに傾斜するカード挿入上り斜面が設けられ、該カード挿入上り斜面の前方が凹部とされ、該凹部の前端壁面にカード挿入上部が設けられ、且つ凹部の別側に終了位置決め点が設けられ、該終了位置決め点の曲線レール溝に沿った対向側にカード退出上部が設けられ、カード退出上部の後部が上向きに傾斜するカード退出上り斜面とされ、カード退出上り斜面の後方が平坦面とされ、平坦面の後方が溝部とされて開始位置決め点に連通することを特徴とする、メモリカードコネクタの往復機構。
【請求項３】
請求項２記載のメモリカードコネクタの往復機構において、フックロッドが開始位置決め点よりカード挿入上り斜面、凹部及びカード挿入上部を通り終了位置決め点に至る行程がカード挿入の動作行程とされることを特徴とする、メモリカードコネクタの往復機構。
【請求項４】
請求項２記載のメモリカードコネクタの往復機構において、フックロッドが終了位置決め点よりカード退出上部、カード退出上り斜面、平坦面、溝部を通り開始位置決め点に至る行程がカード退出の動作行程とされることを特徴とする、メモリカードコネクタの往復機構。
【請求項５】
請求項１記載のメモリカードコネクタの往復機構において、弾性手段が引っ張りバネとされたことを特徴とする、メモリカードコネクタの往復機構。
【請求項６】
請求項１記載のメモリカードコネクタの往復機構において、メモリカードコネクタの下ケースが金属薄板を加圧加工してなることを特徴とする、メモリカードコネクタの往復機構。
【請求項７】
請求項１記載のメモリカードコネクタの往復機構において、メモリカードコネクタの下ケースの側辺の滑り溝が金属材質とされたことを特徴とする、メモリカードコネクタの往復機構。
【考案の詳細な説明】
【技術分野】
【０００１】
本考案は一種のメモリカードコネクタの往復機構に係り、特に、往復機構が２段の上り斜面と２段の位置決め点を具えて金属滑り溝中をスライドするスライドブロックを具えたメモリカードコネクタの往復機構に関する。
【背景技術】
【０００２】
コンピュータ周辺製品の発展は迅速であり、消費者は携帯型メモリカードを使用してデジタルプリンタ、デジタルカメラ、デジタルビデオカメラ等のデジタル製品のデータの読み取りと保存を行なっている。一般に消費者がメモリカードのデータに対して読み取り或いは保存を行ないたい時は、メモリカードコネクタによって行なわねばならず、ゆえにメモリカードコネクタは不可欠のコンピュータ周辺製品となっている。
【０００３】
一般にメモリカードに対してデータの読み取り或いは保存を行なう時にはメモリカードをメモリカードコネクタ内に挿入しなければならない。周知のメモリカードコネクタ内には往復機構が設けられ、メモリカードをメモリカードコネクタ内に自由に挿入したり或いはメモリカードコネクタ内より自由に退出させることができる。周知のメモリカードコネクタ内の往復機構には例えば特許文献１に記載のものがあり、その曲線レール溝は段差のある四段に分けられ、これにより全体の一周の動作を行なう。このような往復機構の設計はメモリカードを自由にメモリカードコネクタに対して挿入或いは退出させられるが、加工上、比較的複雑で面倒であり、且つこのような往復機構を製造するための型の製造は容易でなく、製造コストが係り、並びに往復機構製品の歩留りが大幅に下がる。且つ該往復機構は絶縁本体に取付られ、絶縁本体と往復機構のスライドブロックはいずれもプラスチック射出一体成形により形成されるため、その間の摩擦力が大きく、往復機構の動作が順調でないという問題を形成する。
【０００４】
【特許文献１】台湾特許公告第４６７４２０号明細書
【考案の開示】
【考案が解決しようとする課題】
【０００５】
本考案は一種のメモリカードコネクタの往復機構を提供することを目的とし、それは、構造を簡易化し、製造加工の複雑性を減らし、往復機構製品の歩留りを高め、往復機構動作時の摩擦力を減らし、その活動を順調とすることができるメモリカードコネクタの往復機構であるものとする。
【課題を解決するための手段】
【０００６】
請求項１の考案は、スライドブロック、弾性手段、及びフックロッドを具え、
該スライドブロックはメモリカードコネクタの下ケースの滑り溝内をスライド可能で、該スライドブロックはカードの挿入と退出を制御する二段の上り斜面と二段の位置決め点を具えた曲線レール溝を具え、
該弾性手段はその一端がスライドブロックの嵌合柱に当接され、別端がメモリカードコネクタの下ケースの前方の固定片に嵌合され、スライドブロックにスライドの力を提供し、
該フックロッドはその一端が該スライドブロックの曲線レール溝内に取付られ、別端が固定片の位置決め孔に設けられ、該フックロッドが曲線レール溝中で周回動作を行なうことを特徴とする、メモリカードコネクタの往復機構としている。
請求項２の考案は、請求項１記載のメモリカードコネクタの往復機構において、スライドブロックの二段の上り斜面と二段の位置決め点を具えた曲線レール溝にあって、メモリカードコネクタのベース内部に接近する位置が開始位置決め点とされ、該開始位置決め点の前方に上向きに傾斜するカード挿入上り斜面が設けられ、該カード挿入上り斜面の前方が凹部とされ、該凹部の前端壁面にカード挿入上部が設けられ、且つ凹部の別側に終了位置決め点が設けられ、該終了位置決め点の曲線レール溝に沿った対向側にカード退出上部が設けられ、カード退出上部の後部が上向きに傾斜するカード退出上り斜面とされ、カード退出上り斜面の後方が平坦面とされ、平坦面の後方が溝部とされて開始位置決め点に連通することを特徴とする、メモリカードコネクタの往復機構としている。
請求項３の考案は、請求項２記載のメモリカードコネクタの往復機構において、フックロッドが開始位置決め点よりカード挿入上り斜面、凹部及びカード挿入上部を通り終了位置決め点に至る行程がカード挿入の動作行程とされることを特徴とする、メモリカードコネクタの往復機構としている。
請求項４の考案は、請求項２記載のメモリカードコネクタの往復機構において、フックロッドが終了位置決め点よりカード退出上部、カード退出上り斜面、平坦面、溝部を通り開始位置決め点に至る行程がカード退出の動作行程とされることを特徴とする、メモリカードコネクタの往復機構としている。
請求項５の考案は、請求項１記載のメモリカードコネクタの往復機構において、弾性手段が引っ張りバネとされたことを特徴とする、メモリカードコネクタの往復機構としている。
請求項６の考案は、請求項１記載のメモリカードコネクタの往復機構において、メモリカードコネクタの下ケースが金属薄板を加圧加工してなることを特徴とする、メモリカードコネクタの往復機構としている。
請求項７の考案は、請求項１記載のメモリカードコネクタの往復機構において、メモリカードコネクタの下ケースの側辺の滑り溝が金属材質とされたことを特徴とする、メモリカードコネクタの往復機構としている。
【考案の効果】
【０００７】
本考案は往復機構内のスライドブロックの段差が減らされて構造が簡易化され、往復機構の製造及び加工の複雑性が減らされ、型の形成に便利とされ、更に往復機構の構造が簡易化され、往復機構の製品の歩留りが高められ、並びに周知の往復機構と同じ機能を保有する。並びに往復機構のスライドブロックが金属下ケースの滑り溝中を移動し、往復機構の動作時の摩擦力が減らされ、その動作が更に順調とされる。
【０００８】
ゆえに本考案のメモリカードコネクタの往復機構は実用性と進歩性及び産業上の利用性を具えている。
【考案を実施するための最良の形態】
【０００９】
本考案の往復機構はメモリカードコネクタの金属下ケースの滑り溝内に設けられ、該往復機構はスライドブロックとフックロッドを具え、該スライドブロックは金属の滑り溝内でスライドし、該スライドブロックの上面にカードの挿入と退出を制御できる曲線レール溝が設けられ、該曲線レール溝にあってメモリカードコネクタのベース内部に接近する位置に開始位置決め点が設けられ、該開始位置決め点のやや前方に上向きに傾斜するカード挿入上り斜面が設けられ、該カード挿入上り斜面の前方が凹部とされ、該凹部の前端壁面にカード挿入上部が設けられ、且つ凹部の別側に終了位置決め点が設けられ、該終了位置決め点の曲線レール溝に沿った対向側にカード退出上部が設けられ、カード退出上部の後部が上向きに傾斜するカード退出上り斜面とされ、カード退出上り斜面の後方が平坦面とされ、平坦面の後方が溝部とされて開始位置決め点に連通する。該フックロッドは一端がスライドブロックの曲線レール溝中に設けられ、別端が固定片の位置決め孔に設けられ、且つスライドブロックの前端の嵌合柱に弾性手段が嵌合されて金属下ケース前方の固定片と接続されている。
【００１０】
以上の構造を使用する時、往復機構はスライドブロックの弾性手段と金属下ケースの接続後に、そのフックロッドの一端が活動可能に曲線レール溝中に組み合わされ、該フックロッドが曲線レール溝中で周回動作可能とされてメモリカードの挿入と退出の運転に供される。これにより、往復機構内のスライドブロックの段差が減らされて構造が簡易化される。また往復機構のスライドブロックは金属の滑り溝中をスライドし、往復機構の動作時の摩擦力が減らされ、その動作が更に順調とされる。
【実施例１】
【００１１】
図１、図２及び図３に示されるように、本考案はメモリカードコネクタ１の往復機構１０を提供し、該往復機構１０はメモリカードコネクタ１に設けられ、該メモリカードコネクタ１は金属下ケース２０、ベース３０、受け座４０、複数の導電端子５０、上カバー６０及び往復機構１０で構成されている。そのうち、金属下ケース２０は金属薄板を加圧加工してなり、その断面はＵ形を呈し、その二側に上向きに折り曲げられた折り辺２１が設けられ、その両側の折り辺２１に複数の係止孔２１ａが設けられ、並びに一側の折り辺２１内側に上向きに折られた折り片２２が形成されて折り辺２１と共同で滑り溝２２ａを形成し、金属下ケース２０の滑り溝２２ａの前端及び後端が折り曲げられて固定片２３が形成され、後端の固定片２３に位置決め孔２３ａが設けられ、金属下ケース２０の両側後端がそれぞれ上向きに折られて結合部２４が形成されている。
【００１２】
ベース３０は、プラスチック射出一体成形で形成され、その中央部に複数の横向きに配列された端子孔３１が設けられ、並びに両側に垂直方向の結合孔３２があり、金属下ケース２０後端の結合部２４内に係合され、且つ一端の側壁に位置決め溝３３が設けられている。
【００１３】
該受け座４０は、プラスチック射出一体成形され、その前端に位置決め孔４１があり、平面上に縦に三つの挿入孔４２が設けられ、該受け座４０の後端に位置決め凸條４３が設けられ、該位置決め凸條４３がベース３０の位置決め溝３３内に挿入、固定される。
【００１４】
該複数の導電端子５０は、複数の信号端子５１と検出端子５２を具え、信号端子５１はベース３０の端子孔３１内に挿入、固定され、検出端子５２の側辺に挿入板５２ａが凸設されて受け座４０の挿入孔４２内に挿入、固定される。
【００１５】
該上カバー６０は金属薄板を加圧加工してなり、その断面は逆Ｕ形を呈し、上蓋６０の二側は下向きに折り曲げられた折り辺６１とされ、且つ複数の内向きに突出する係止部６１ａが設けられ、該上カバー６０の後端に下向きのバネ片６２が設けられ、並びに上カバー６０の折り辺６１の係止部６１ａと金属下ケース２０の折り辺２１の係止孔２１ａが相互に係合し、上カバー６０と金属下ケース２０が強固に結合され一体とされる。
【００１６】
該往復機構１０は、金属下ケース２０の滑り溝２２ａに取付られ、該往復機構１０はスライドブロック１１、フックロッド１２及び弾性手段１３で構成されている。
該スライドブロック１１は金属下ケース２０の滑り溝２２ａ内で活動し、該スライドブロック１１の上面にカードの挿入と退出を制御できる曲線レール溝１１ａが設けられ、図２、３に示されるように、該曲線レール溝１１ａは、メモリカードコネクタ１の内部に接近する位置が開始位置決め点１１ａ１とされ、該開始位置決め点１１ａ１のやや前方に上向きに傾斜するカード挿入上り斜面１１ａ２が設けられ、該カード挿入上り斜面１１ａ２の前方が凹部１１ａ３とされ、該凹部１１ａ３の前端壁面にカード挿入上部１１ａ４が設けられ、且つ凹部１１ａ３の別側に終了位置決め点１１ａ５が設けられ、該終了位置決め点１１ａ５の曲線レール溝１１ａに沿った対向側にカード退出上部１１ａ６が設けられ、カード退出上部１１ａ６の後部が上向きに傾斜するカード退出上り斜面１１ａ７とされ、カード退出上り斜面１１ａ７の後方が平坦面１１ａ８とされ、平坦面１１ａ８の後方が溝部１１ａ９とされて開始位置決め点１１ａ１に連通する。
【００１７】
該フックロッド１２は金属円棒が折り曲げられてなり逆Ｕ形を呈し、その一端がスライドブロック１１の曲線レール溝１１ａ中に設けられ、別端が金属下ケース２０前端の固定片２３の位置決め孔２３ａに設けられている。
【００１８】
該弾性手段１３は引っ張りバネとされ、スライドブロック１１前端と金属下ケース２０前端の固定片２３の間に設けられ、一端がスライドブロック１１の嵌合柱１１ｂに嵌合され、別端が金属下ケース２０の前方の固定片２３中に嵌合され、スライドブロック１１にスライドの力を与える。
【００１９】
該往復機構１０はフックロッド１２の一端を利用して活動自在に曲線レール溝１１ａ中に組み合わされ、フックロッド１２が曲線レール溝１１ａ中で周回動作を行ない、メモリカードの挿入と退出の運転に用いられ、これにより往復機構１０内のスライドブロック１１の曲線レール溝１１ａの段差が減らされて構造が簡易化され、製造加工の複雑性が減らされ、往復機構１０の製品の歩留りが高められる。往復機構１０のスライドブロック１１は金属下ケース２０の滑り溝２２ａ中をスライドし、往復機構１０の動作時の摩擦力が減らされ、その動作が更に順調とされる。
【００２０】
往復機構１０が未動作の時、図２及び図３に示されるように、その開始状態では該フックロッド１２の一端が前述の曲線レール溝１１ａの開始位置決め点１１ａ１にあり、図４及び図５に示されるように、メモリカードがメモリカードコネクタ１に挿入される時、メモリカードがスライドブロック１１を押動して内向きに移動させると共に、弾性手段１３を引き伸ばし、開始位置決め点１１ａ１に位置するフックロッド１２を移動させ、曲線レール溝１１ａに沿ってカード挿入上り斜面１１ａ２に向けて移動させる。フックロッド１２がカード挿入上り斜面１１ａ１を通り凹部１１ａ３に至り、凹部１１ａ３の前方に至ると、フックロッド１２がカード挿入上部１１ａ４に至り、図６及び図７に示されるようであり、メモリカードが定位に達すると、フックロッド１２がカード挿入上部１１ａ４より終了位置決め点１１ａ５に当接し、これは図８と図９に示されるようである。
【００２１】
更に、メモリカード退出開始する時、スライドブロック１１は弾性手段１３の回復力を受けて前向きに移動し、終了位置決め点１１ａ５に位置決めされていたフックロッド１２に移動を発生させて曲線レール溝１１ａに沿ってカード退出上部１１ａ６に至らせ、これは図１０、１１に示されるとおりである。フックロッド１２は曲線レール溝１１ａに沿ってカード退出上部１１ａ６よりカード退出上り斜面１１ａ７に至り、カード退出上り斜面１１ａ７を上昇開始し、これは図１２、１３に示されるとおりである。メモリカードが完全にメモリカードコネクタ１より退出する時、該フックロッド１２はカード退出上り斜面１１ａ７を離れて平坦面１１ａ８から溝部１１ａ９に至り、最後に開始位置決め点１１ａ１に至り、開始状態に回復する。これは図２、３に示されるとおりであり、こうして本考案の往復機構のカードの挿入と退出の動作が完成する。
【図面の簡単な説明】
【００２２】
【図１】本考案によるメモリカードコネクタの立体分解図である。
【図２】本考案の往復機構の開始状態表示図である。
【図３】図２のＡ−Ａ断面図である。
【図４】本考案の往復機構のカード挿入動作表示図（一）である。
【図５】図４のＡ−Ａ断面図である。
【図６】本考案の往復機構のカード挿入動作表示図（二）である。
【図７】図６のＡ−Ａ断面図である。
【図８】本考案の往復機構のカード挿入動作表示図（三）である。
【図９】図８のＡ−Ａ断面図である。
【図１０】本考案の往復機構のカード退出動作表示図（一）である。
【図１１】図１０のＡ−Ａ断面図である。
【図１２】本考案の往復機構のカード退出動作表示図（二）である。
【図１３】図１２のＡ−Ａ断面図である。
【符号の説明】
【００２３】
１  メモリカードコネクタ              １０  往復機構
２０  金属下ケース                    ３０  ベース
４０  受け座                          ５０  導電端子
６０  上カバー                        １１  スライドブロック
１２  フックロッド                    １３  弾性手段
１１ａ  曲線レール溝                  １１ｂ  嵌合柱
１１ａ１  開始位置決め点              １１ａ２  カード挿入上り斜面
１１ａ３  凹部                        １１ａ４  カード挿入上部
１１ａ５  終了位置決め点              １１ａ６  カード退出上部
１１ａ７  カード退出上り斜面          １１ａ８  平坦面
１１ａ９  溝部                        ２１、６１  折り辺
２１ａ  係止孔                        ２２  折り片
２２ａ  滑り溝                        ２３  固定片
２３ａ  位置決め孔                    ２４  結合部
３１  端子孔                          ３２  結合孔
３３  位置決め溝                      ４２  挿入孔
４３  位置決め凸條                    ５１  信号端子
５２  検出端子                        ５２ａ  挿入板
６１ａ  係止部                        ６２  弾性片
【図１】
0003105848.tif 000003
【図２】
0003105848.tif 000004
【図３】
0003105848.tif 000005
【図４】
0003105848.tif 000006
【図５】
0003105848.tif 000007
【図６】
0003105848.tif 000008
【図７】
0003105848.tif 000009
【図８】
0003105848.tif 000010
【図９】
0003105848.tif 000011
【図１０】
0003105848.tif 000012
【図１１】
0003105848.tif 000013
【図１２】
0003105848.tif 000014
【図１３】
0003105848.tif 000015